(57)【要約】      （修正有）【課題】携帯式電子装置の全体の厚さを薄くすることができるケースアセンブリを提供する。【解決手段】ケースアセンブリは、内面を有するケース１０と、ケース１０に装着され、且つ発音部及び発音部を収容するハウジングを含むスピーカーモジュール２０と、を備える。ケース１０には、内面を貫通する貫通孔１５が設けられ、ハウジングは、頂壁２２１、頂壁２２１に垂直に連接された周壁及び周壁に形成された係止リブを備え、ハウジングは、貫通孔１５内に装着され、係止リブ２２４は、貫通孔１５の周縁に係合されて、ハウジングをケース１０に固定させる。【選択図】図１
0003194097.tif 000002
【実用新案登録請求の範囲】
【請求項１】
内面を有するケースと、前記ケースに装着され、且つ発音部及び前記発音部を収容するハウジングを含むスピーカーモジュールと、を備えるケースアセンブリであって、
前記ケースには、前記内面を貫通する貫通孔が設けられ、前記ハウジングは、頂壁、前記頂壁に垂直に連接された周壁及び前記周壁に形成された係止リブを備え、前記ハウジングは、前記貫通孔内に装着され、
前記係止リブは、前記貫通孔の周縁に係合されて、前記ハウジングを前記ケースに固定させることを特徴とするケースアセンブリ。
【請求項２】
前記ケースの前記内面における前記貫通孔の周縁部には、凹溝が形成されており、前記係止リブと前記凹溝とは、前記係止リブと前記凹溝との隙間に発泡綿を嵌め込んで互いに係合固定されることを特徴とする請求項１に記載のケースアセンブリ。
【請求項３】
前記ケースは、前記内面と反対側に位置する外面をさらに備え、前記スピーカーモジュールが前記ケースに装着されると、前記ハウジングの頂壁は、前記貫通孔から露出し且つ前記外面と同一平面上に位置することを特徴とする請求項２に記載のケースアセンブリ。
【請求項４】
回路基板が装着されたケースと、前記ケースに装着され、且つ発音部及び前記発音部を収容するハウジングを含むスピーカーモジュールと、を備えるケースアセンブリであって、
前記ケースには、自身の外面及び内面を貫通している貫通孔が設けられ、前記ハウジングは、周壁及び前記周壁の中間部から突出する係止リブを含み、
前記スピーカーモジュールが前記貫通孔に対応して装着されると、前記係止リブは、前記貫通孔の周縁部に係合固定され、前記回路基板及び前記ケースは、前記スピーカーモジュールのハウジングを挟んで保持することを特徴とするケースアセンブリ。
【考案の詳細な説明】
【技術分野】
【０００１】
本考案は、ケースアセンブリに関するものである。
【背景技術】
【０００２】
携帯電話機、タブレットパソコン等の携帯式電子装置のハウジングの内部には、通常スピーカーモジュールが装着されている。従って、この携帯式電子装置の内部には、スピーカーモジュールを収容するための収容空間が設けられている。また、ハウジングにおけるスピーカーモジュールの上方には、音放出チャンネルが設けられており、スピーカーから出た音は、この音放出チャンネルを介してハウジングの外部へ伝えられる。
【０００３】
従来のスピーカーモジュールは、一般的に螺子又は接着剤等によって携帯式電子装置のハウジングと重なるようハウジングの内部に固定され、且つ密封リングにより密封される。しかしこれにより、携帯式電子装置全体の厚さが増加するため、携帯式電子装置の薄型化に不利である。
【考案の概要】
【考案が解決しようとする課題】
【０００４】
そこで、本考案は、以上の問題点に鑑みてなされたものであり、携帯式電子装置全体の厚さを薄くすることができるケースアセンブリを提供することを目的とする。
【課題を解決するための手段】
【０００５】
上記の課題を解決するために、本考案に係るケースアセンブリは、内面を有するケースと、ケースに装着され、且つ発音部及び発音部を収容するハウジングを含むスピーカーモジュールと、を備える。ケースには、内面を貫通する貫通孔が設けられ、ハウジングは、頂壁、頂壁に垂直に連接された周壁及び周壁に形成された係止リブを備え、ハウジングは、貫通孔内に装着され、係止リブは、貫通孔の周縁に係合されて、ハウジングをケースに固定させる。
【０００６】
また、上記の課題を解決するために、本考案に係るケースアセンブリは、回路基板が装着されたケースと、ケースに装着され、且つ発音部及び発音部を収容するハウジングを含むスピーカーモジュールと、を備える。ケースには、自身の外面及び内面を貫通している貫通孔が設けられており、ハウジングは、周壁及び周壁の中間部から突出する係止リブを含み、ハウジングが貫通孔に対応して装着されると、係止リブは、貫通孔の周縁部に係合固定され、回路基板及びケースは、スピーカーモジュールのハウジングを挟んで保持する。
【考案の効果】
【０００７】
従来の技術と異なり、本考案のスピーカーモジュールは、係止リブがハウジングの外周の中間部に形成され、スピーカーモジュールはこの係止リブを介してケースの貫通孔に対応して固定されるので、ケースに別に固定機構を設ける必要はなく、スピーカーモジュールの厚さも増加しない。従って、従来のように、スピーカーモジュールとケースとを重ねて組み立てることなく、電子装置全体の厚さを薄くすることができる。
【図面の簡単な説明】
【０００８】
【図１】本考案のケースアセンブリの分解斜視図である。
【図２】図１に示したケースアセンブリに携帯電話機が装着された状態を示す斜視図である。
【図３】図１に示したケースアセンブリのＩＩＩ−ＩＩＩ線に沿った断面図である。
【考案を実施するための形態】
【０００９】
図１に示すように、本考案に係るケースアセンブリは、携帯電話機、タブレットパソコン及び携帯情報端末（ＰＤＡ）等のスピーカーモジュールを備える携帯式電子装置に適用する。前記ケースアセンブリは、ケース１０及びケース１０に装着されるスピーカーモジュール２０を備える。
【００１０】
図２を併せて参照すると、ケース１０は、側壁１２、外面１３及び外面１３と反対側に位置する内面１４を備える。側壁１２は、内面１４の周縁部を取り囲むように設けられている。ケース１０には、スピーカーモジュール２０を装着するための貫通孔１５がさらに設けられている。貫通孔１５は、外面１３及び内面１４を貫通するようにケース１０に設けられている。内面１４における貫通孔１５の周縁部には、凹溝１５１が設けられている。本実施形態において、スピーカーモジュール２０をケース１０にさらに安定して強固に装着するために、内面１４における貫通孔１５の両端には２つの止めリブ１６がさらに設けられている。スピーカーモジュール２０の外縁は、この止めリブ１６に当接される。
【００１１】
図３に示すように、スピーカーモジュール２０は、貫通孔１５内に装着され、発音部２１及び発音部２１を収容するハウジング２２を備える。ハウジング２２は、貫通孔１５内に装着可能であり、頂壁２２１、頂壁２２１の周縁部に垂直に連接された周壁２２２及びネット２２３を備える。頂壁２２１には、ネット２２３を装着するための開口（図示せず）が設けられている。ネット２２３の上面は、前記開口上に、且つ頂壁２２１と同一平面上に位置する。尚、ネット２２３は、ハウジング２２と一体成形してもよい（すなわち、頂壁２２１及び周壁２２２と一体的に設けられてもよい）。ネット２２３は、発音部２１が出した音を通過させると共に、外部から異物等がハウジング２２の内部に入ることを防止する。また、ハウジング２２は、周壁２２２の略中間部から、周壁２２２に対して垂直に突出する係止リブ２２４をさらに備える。係止リブ２２４全体は、ハウジング２２の外周に形成された矩形のフレームである。係止リブ２２４の上面から頂壁２２１の表面までの距離は、ケース１０の厚さと同じである。
【００１２】
スピーカーモジュール２０とケース１０とを組み立てる場合、まず、発泡綿２６を凹溝１５１に設置する。続いて、スピーカーモジュール２０を内面１４側から貫通孔１５に挿入して、ハウジング２２の係止リブ２２４を凹溝１５１内に係合させ、且つ接着剤を用いて係止リブ２２４を凹溝１５１内に固定する。ここで、発泡綿２６が凹溝１５１に設置されているので、係止リブ２２４と凹溝１５１とは、それらの間に発泡綿２６が嵌めこまれて係合固定される。また、発泡綿２６は、係止リブ２２４と凹溝１５１との間の隙間を密封する。
【００１３】
スピーカーモジュール２０をケース１０に装着した際、ハウジング２２の頂壁２２１は、貫通孔１５から露出し、且つケース１０の外面１３と同一平面上に位置する。電子装置の回路基板がケース１０内に装着されると、前記回路基板及びケース１０は、スピーカーモジュール２０を挟持する。ここで、発泡綿２６は、スピーカーモジュール２０に対してケース１０の内側に向けて弾性力をもたらし、しかも前記回路基板の押圧力によって、スピーカーモジュール２０のケース１０との結合は緩まない。
【００１４】
また、変形例として、止めリブ１６を省略することができる。
【００１５】
また、変形例として、凹溝１５１を省略して、係止リブ２２４を直接的にケース１０の内面１４に当止させても良い。
【符号の説明】
【００１６】
１０  ケース
１２  側壁
１３  外面
１４  内面
１５  貫通孔
１５１  凹溝
１６  止めリブ
２０  スピーカーモジュール
２１  発音部
２２  ハウジング
２２１  頂壁
２２２  周壁
２２３  ネット
２２４  係止リブ
２６  発泡綿
【図１】
0003194097.tif 000003
【図２】
0003194097.tif 000004
【図３】
0003194097.tif 000005